(57)【要約】収容すべき単数又は複数のＣＤの記録面のみを、外側からか又は内側からセンタリング要素上にＣＤが嵌合されている、少なくとも一つの壁に対して保護するように設計された単数、又は複数の記録ディスクのケース。唯一のセンタリング要素上に二枚のＣＤを収容する場合、それらの記録面は、仕切シートを伴って又はそれなしで、互いに対し支持される。一つのケースは、ＣＤ（Ｄ）の他に一つのラベル（Ｅ）を収容し固定させることができる。
2004527870.tif 000002
【特許請求の範囲】
【請求項１】
単数又は複数のセンタリング要素の上に弾性的に嵌合された単数又は複数の記録ディスク用のケースにおいて、傷付けたり喪失する危険性無くディスクの取扱い及び輸送を可能にするため、該ケースのフタ無しの薄い壁上に支持された状態でしっかり嵌合されて収容する、単数又は複数のＣＤの記録面のみを保護するように設計されていること、前記壁（１）が剛性で八角形の周辺肩部（３）が備わっていること、を特徴とするケース。
【請求項２】
その肩部（３）が、円錐状の又はラッチ付きの支持面（５）を内部に有すること、センタリング要素を親指で押して、ケースの周囲の後方側面に指の先で同時にたわみを加えることで、その嵌合解除を可能にするため比較的可撓性のあるプラスチック材料で作られていることを特徴とする請求項１に記載のＣＤケース。
【請求項３】
前記ケースの円錐（１０）の端部上に係合して、積重ねた山から横方向にＣＤが滑るのを防ぐ支持面（８）又はビード（９）を用いて、積重ね可能となっていることを特徴とする請求項１及び２に記載のＣＤケース。
【請求項４】
各々一枚のＣＤ（Ｄ１、Ｄ２）を収容するように、一方の側面にはセンタリング要素（Ｃ１）が、又もう一方の側面にはセンタリング要素（Ｃ２）が備わっている剛性壁（５９）を有し、その周囲には、多角形の外部形状をもつ壁（５９）の各々の側に配置した肩部（６０）があることを特徴とする請求項１〜３のいずれか一項に記載のＣＤケース。
【請求項５】
仕切シートを伴って又はそれなしで、記録面同士を向かい合わせて、二枚のＣＤを収容するように配置されていること、分割可能な二つの突起（１７、１８）か又は突起（１７）とストッパ（１９）により画定された内側支持面上で、ＣＤの直径の外側から、そのセンタリング及びその保持が行なわれることを特徴とする請求項１に記載のＣＤケース。
【請求項６】
仕切シートを伴って又はそれなしで、記録面同士向い合わせて二枚のＣＤを収容し、固定して保護するように各々が配置されており、ＣＤがその中央穴を通して、二つの保持用突起（２４、２５）か、又は突起（２５）とストッパ（２７）及び中央穴（２６）を有する弾性変形可能な、固定用環状ハブ（２０、２１）上に係合されていることを特徴とする請求項１に記載のＣＤケース。
【請求項７】
仕切シートを伴って又はそれなしで、記録面同士向い合わせて二枚のＣＤを各々収容し、固定して保護するように配置されており、ＣＤがその中央穴を通して、互いに相補的な嵌合手段により嵌合された二つの部分（２７、３２）から成る、弾性変形可能な固定用ハブ上に係合されていることを特徴とする請求項１に記載のＣＤケース。
【請求項８】
そのハブ（２０、２１−２７、３２）が、八角形の一辺（３、図１４）の幅と同じ幅の基面（３９）を有し、それに対して垂直方向に収納用の垂直支持脚（３８、図１３）によって、延長していることを特徴とする請求項１、６及び７のいずれか一項に記載のＣＤケース。
【請求項９】
八角形の辺のうちの一つの上に成形により形成され、かつ成形された相補的閉鎖手段（４４、４５）により、利用するため互いに開閉できるように柔軟なヒンジ（４３、図２０）によって、互いに連接されている八角形の周囲肩部（３、６）を有する、二つの同一シングルケース（４１、４２）（図３、４）で構成されており、そのＣＤのセンタリング要素が、各々ケースの内側にあることを特徴とする請求項１〜３のいずれか一項に記載のダブルケース。
【請求項１０】
八角形の辺のうちの一つの上に成形により形成され、かつ成形された相補的閉鎖手段（４４、４５）により、利用のため互いに開閉できるように柔軟なヒンジ（４３）によって、互いに連接されている八角形の周囲肩部（３、６）を有する二つのシングルケース（７１、７２、図２０）は、その一方がその内側に二枚のＣＤを収納するためのセンタリング要素（Ｃ３、８８）を備え、第二のケースが唯一のＣＤ及び場合によっては、冊子を収容するためのセンタリング要素（Ｃ１、７８、９２、９８）を備えているか、或いはセンタリング要素無しで冊子のみを収容することを特徴とする請求項９に記載のダブルケース。
【請求項１１】
八角形の辺のうちの一つの上に成形により形成され、かつ成形された相補的閉鎖手段（４４、４５）により、利用するため互いに開閉できるように柔軟なヒンジ（４３）によって互いに連接されている、八角形の周囲肩部（３、６）を有する二つの同一のシングルケース（７１、７５、図２１）は、ケースの内側に各々存在する二枚のＣＤを収納するためのセンタリング要素（Ｃ３、８８）を、各々備えていることを特徴とする請求項９または１０に記載のダブルケース。
【請求項１２】
各々がケースの辺（５０）の一つの上に設けられたガイドレール（４９）の中に係合された、プラスチック材料製の薄い識別用ラベル（４８）を有すること、ＣＤの種別毎の補足的識別部が、ケースの一辺の面（６）の側（５４）を部分的に貫通する穴（５３）の中に係合された単色、二色又は三色のロッド（５２）で構成されていることを特徴とする請求項１〜１１のいずれか一項に記載のＣＤケース。
【請求項１３】
そのセンタリング要素（８８）が、一枚の記録面ともう一枚の記録面を向かい合わせた状態で二枚のＣＤ（Ｄ１、Ｄ２）を収容するために設計されており、このセンタリング要素が二枚のＣＤの厚みよりも大きな円錐（８９）を有し、その厚みが支持壁（１）の厚みに比べて薄くなっていることを特徴とする請求項１から１２のいずれか一項に記載のＣＤケース。
【請求項１４】
ケースのセンタリング要素（９８）が、ＣＤ上に弱い保持圧力を生じさせるような形で、ＣＤの中央穴の直径よりも極くわずかだけ大きい直径のエラストマ製リング（１００）を、ケースの肩部（９９）上に接着させた状態で有すること、取り出しが、穴（１０１）を通して、ＣＤの支持面の後ろを押すことによって行なわれることを特徴とする請求項１〜１３のいずれか一項に記載のＣＤケース。
【請求項１５】
そのセンタリング要素−イジェクタが、主としてＤＶＤ記録ディスクを収容するように設計され、センタリング要素の肩部（８１）上にＤＶＤ又はＣＤを嵌合させた時点で、それをつぶすことができるように末広がりになった縁部を有した、対応する収納部（８６）の底面に接着された柔軟なエラストマ製の三つの小さいスタッド（８５、図２３Ａ）により構成された、イジェクト手段が取り付けられていること、スタッド（８５）の自由端が半球形で、センタリング要素と同じ高さを有することを特徴とする請求項１〜１５のいずれか一項に記載のＣＤケース。
【請求項１６】
そのセンタリング要素からのＤＶＤの取り出しが、対応するキャビティ上に付着されたエラストマ製の小さな球（Ｂ）（図２３Ｂ）を利用して実施されることを特徴とする請求項１〜１５のいずれか一項に記載のＣＤケース。
【請求項１７】
そのセンタリング要素からのＤＶＤの取り出しが、各々対応するガイドレール内に係合され接着された３枚の金属ブレード（Ｌ）を利用して実施されること（図２３Ｂ）を特徴とする請求項１〜１６のいずれか一項に記載のＣＤケース。
【請求項１８】
その第一面上に収容されたものに加えてその第二面に一枚又は二枚のＣＤを収容する場合に、第二のセンタリング要素が第一のセンタリング要素に対面して熱溶着されて、後付けされる（図２２、２４）ことを特徴とする請求項１〜１７のいずれか一項に記載のＣＤケース。
【請求項１９】
好ましくは、八角形のケースの外部形状の断面に対応する断面形状を持つ、収納ボックス内に垂直か、又はわずかに傾斜した状態に保管されること、各々互いの間の嵌合用の相補的手段（１１２）を備えた不透明又は半透明の下半分（１１０）と透明上半分（１１１）という二つの半部分で構成されていること、それらの端部が閉じられ、一方では雄（１１３）他方では雌（１１４）のその他のボックスとの嵌合用手段を外側に向かって備えていること、ケースの外側とボックスの内側の間にあそびを与えるか、又はボックスの下部側面の角度（１１５、１１６）をわずかに増大させることにより、約１５°だけケースを傾斜させることができるようになっていること、を特徴とする請求項１〜１８のいずれか一項に記載のＣＤケース。
【請求項２０】
対面して上下に熱溶着された状態で、シートを束状に溶接できるようにするスペーサプレート（１２０、１２１）、参照のため折畳むことができるようにする空間（１１９）を有し、対面して熱溶着されたセンタリング要素（１３０）上に、各々嵌合されたＣＤの場所を画定する長手部分（１２３、１２４、１２５）及び横幅部分（１２６、１２７、１２８）に上下で熱溶着された剛性プレートを有する透明なプラスチック材料で作られた、二、四又は八枚のＣＤ用の薄く柔軟な収納用シート（１１８）の形を呈していること、前記センタリング要素が、ＣＤの中央穴上でのわずかな締付けを可能にする直径をもつ小さな入口面取り（１３３）と、わずかに円錐状になった嵌合用支持面（１３２）と、その周囲で縁取りされた薄壁（１３１）とを有し、フライス加工によって、嵌合を容易にするべく歯（１３５）が弾性変形できるようになっており、柔軟なシート上へのそれらの熱溶着が、中央部分（１３６）上でのみ行なわれること、を特徴とする請求項１〜１９のいずれか一項に記載のＣＤケース。
【請求項２１】
ＣＤ収納シート（１１８）が、それらのスペーサ（１２１、１２２）上で束状に溶接されることを特徴とする請求項２１に記載のＣＤケース。
【請求項２２】
ＣＤ収納シート（１１８）が、１．５ｍｍから少なくとも２ｍｍまでの厚みの基面（１４１）と、成形により形成された柔軟なヒンジ（１４３）により基面と一体化された背面（１４２）と、第二の柔軟なヒンジ（１４５）により背面（１４２）に一体化されたカバー（１４４）と、から成る熱可塑性材料製ファイル（１４０）内に束状に熱溶着されること、該ファイルが、成形により形成されたもう一つの柔軟なヒンジ（１４７）により底面に連結された前方部分（１４６）によって閉じられていること、前方部分（１４６）上に接着された頑丈な織地の柔軟なバンド（１４８）が、その自由端部に、カバー（１４４）を上のシート（１１８）に対し締めつけることにより、もう一つの「スクラッチ」バンド（１５０）上に固定されることになる「スクラッチ」材料バンド（１４９）を有することを特徴とする請求項２１〜２２のいずれか一項に記載のＣＤケース。
【発明の詳細な説明】
【０００１】
本発明は、「コンパクトディスク、オーディオＣＤ、ＣＤ−Ｒ、ＣＤ−ＲＷ、ＣＤ−ＲＯＭ、ＤＶＤ」）などの単数又は複数の記録ディスク（以下ＣＤと呼ぶ）用ケース及びそれらのファイリング手段に関する。
【０００２】
一〜三枚のＣＤを収容するためのポリカーボネートといった種類の剛性プラスチック材料で作られたＣＤ収納箱はすでに知られている。記録済みオーディオＣＤ、ＣＤ−ＲＯＭ及びＤＶＤ用のこれらの収納箱は、連接されたカバー付きボックスから成り、そして比較的厚い数ｍｍのいくつかのものについては、ボックス内に嵌め込まれた後付け部品から成り、そしてＣＤを収納しセンタリングすることを目的とする約３ｍｍといった最も薄い厚みのものについては、単にボックスとカバーのみで構成されている。
【０００３】
これらのケースは以下のような欠点を有している。
ヒンジの脆性、ＣＤのセンタリング用歯の脆性、収納箱の面の脆性；これらのさまざまな要素は、取扱い中に破損しやすい。
最も厚い形態については、三つの構成部品を製造し組立てるのが複雑である。
最も一般的なものについての１０ｍｍから最も薄いものについての３ｍｍというケースの厚みが、１ｍｍというＣＤの厚みに比べきわめてかさ高く、そのため、垂直ファイリングの幅が大きくなり、その他のあらゆるタイプのファイリングが排除される。
保護すべきＣＤの重量に比べて収納箱の重量が重い。
カバーが嵌合されているためＣＤの利用が実用的でも迅速でもなくなっていることから、取扱いが複雑かつ困難であり、これはダブルＣＤの場合には一層ひどくなる。
現在のファイルは、高価で実用性が非常に低い：  閉められないポケット内にＣＤを入れなければならず、ＣＤはページの操作中にそこから滑り出る可能性があり、その利用の可能性は凡庸であり、記録面は、ポケットの対応する壁上を摺動する。
これらのファイルのスライドファスナーは、ページの取扱いを可能にするためコーナーを解放しなければならないことから、その開放後は扱いにくくなる。
収納箱は高価で、扱いにくく、かさが高い； 垂直に積重ねるのがむずかしい。
【０００４】
これらのさまざまな欠点をなくすために解決しなければならない課題は以下のとおりである：
シングル又はダブルＣＤを使用するため、及びその収納箱へ戻すための片手での取扱いを簡単にすること、
ＣＤ又はダブルＣＤの記録面を充分に保護すること、
収納箱の機械的強度を増大させること、
既存の収納箱のものと同じ容積内に、はるかに多くのＣＤを収納し且つ、収納箱の厚みのかさ高さを削減すること、
ダブルＣＤ又はＤＶＤ用収納箱の使用及び、使用後のその収納を容易にすると共に、これらの収納箱の厚みのかさ高さを削減すること、
郵送コストを削減できるように、ケースを軽量化すること、
かさが低く、取扱いや輸送が容易である収納手段の中に、大量にＣＤを保管しファイリングできること、
製造コストを削減すること、
非常に容易に利用可能であると共に、取扱い中にＣＤがファイル外へ滑り出す危険性なく、支持シート上に摩擦を及ぼすことなく、分離したシートの備わったファイル及びボックス内に大量にＣＤを収納できること。
【０００５】
本発明による記録ディスク用ケースは、提起された課題全体を解決するものである。提起された課題の中では、ＣＤの記録された片面のみが保護されなくてはならず、もう一方の面はその必要がない、ということが考慮されている。
【０００６】
唯一のＣＤを収容するための本発明によるケースの最も単純な第一の形態は、その中央穴によりＣＤが上に嵌合される、センタリング要素を備えた薄壁だけにとどめられ、ここで保護すべきＣＤの面はケースの対応する壁に対面して置かれている。
【０００７】
ケースを垂直に積重ねるか又は、棚組みの上又はボックス内に収納することの両方を可能にする第二の形態では、円錐状であるか又はラッチを備え、保持円錐内に弾性的に係合した厚紙製のラベルを保持できるように、内部面をもつケースの壁の外にある周囲肩部が具備されており、ここでＣＤの記録面は、透明なケースの壁を通して読取ることのできるラベル上に支持されており、情報を担持するそのもう一方の面は、カバーが無いことから直接読取りできる状態になっている。ケースを軽量化するため、肩部の外部形状は八角形をしており、このため、それを安定した形で垂直方向に支持できるようになっている。ケースは、たわみを受けて容易に弾性変形でき、衝撃に敏感でない半剛性の透明なプラスチック材料で作られている。本発明による複数のＣＤ用のケースの形態は、シングルケースから直接派生したものである。
【０００８】
二枚のＣＤ用ケースの第三の形態では、ケースのセンタリング要素は、仕切シートを伴って又はそれなしで、記録面同士を向かい合わせて二枚のＣＤを嵌合させるように設計されている。それらのセンタリング要素は、これら二つのＣＤを同時に嵌合させるように設計され、センタリング要素の厚みは、より「弾性的」にするためにケースの壁の厚みより薄くなっており、ＣＤの嵌合支持面は、入口の面取りを具備して、わずかに円錐状となっている。
【０００９】
ＣＤケースの第四の形態に従うと、その壁は、各々一枚のＣＤを収容するため、片面のセンタリング要素ともう一方の面のセンタリング要素を有し、それらの周囲には、正方形、六角形又は八角形の形状をもつ、前記壁の各々の側に配置した肩部が備わっている。
【００１０】
ＣＤケースの第五の形態によると、仕切シートを伴って又はそれなしで、記録面同士を向かい合わせて二枚のＣＤを収容するために、それらのセンタリング及びその保持は、分割可能な二つの突起か又は突起（１７）と、ストッパにより画定された内側支持面上で、ＣＤの直径の外側から行なわれる。
【００１１】
ＣＤケースの第六の形態によると、ＣＤケースは仕切シートを伴って又はそれなしで、その中央穴を通して、二つの保持用突起か又は突起とストッパ及び、中央穴を有する弾性変形可能な不動化用環状ハブ上に係合されている、二枚のＣＤを各々記録面同士向い合わせて収容し、固定し保護するように各々が配置されている。
【００１２】
ＣＤケースの第七の形態によると、ＣＤケースは、仕切シートを伴って又はそれなしで、その中央穴を通して、互いに相補的な嵌合手段により嵌合された二つの部分から成る、弾性変形可能な固定用ハブ上に係合されている二枚のＣＤを各々記録面同士向い合わせて各々収容し、固定し保護するように各々が配置されている。
【００１３】
ＣＤケースの第八の形態によると、ＣＤケースは、各々ラベルを保持するため、円錐状支持面を有する六角形又は八角形の肩部を具備した外部形状をもつ、二つの部分で各々構成されており、これら二つの部分は互いの間で、成形により形成された連接部分によって連接され、もう一方の部分の対応する穴の中に係合された止め金具により、互いに閉じた状態に保持され、そのそれぞれの壁の内部と一体化されたセンタリング要素が各々一枚のＣＤを固定している。
【００１４】
ＣＤケースの第９の形態によると、ＣＤケースは、成形により形成されたヒンジによって一方が他方の上に連接された、一方は二枚のＣＤを収容するためそしてもう一方は唯一のＣＤと場合によっては一冊の冊子を収容するための二つの部分で各々構成されており、二枚のＣＤは、同じセンタリング要素上に嵌合され、もう一方は、唯一のＣＤ用のセンタリング要素上に嵌合されている。
【００１５】
ＣＤケースの第十の形態によると、ＣＤケースは、各々二枚のＣＤを収容するため、成形により形成されたヒンジにより、一方が他方に連接された二つの同一部分で構成されており、ＣＤは、対応するセンタリング要素上で、記録面同士向かい合わせた状態で対を成して嵌合されている。
【００１６】
ＣＤケースの第十一の形態によると、一方の部分は対応するセンタリング要素上に記録面同士を向かい合わせて嵌合された二枚のＣＤを収容するために、成形により形成されたヒンジにより、一方が他方に連接された二つの部分で構成されており、もう一方の壁は、一冊の冊子を収容するような形でセンタリング要素を有していない。
【００１７】
ＣＤケースの第十二の形態によると、ＣＤケースは各々、ケースの一つの辺の側面上に設けられたガイドレールの中に係合された、プラスチック材料製の薄い識別用ラベルを有し、ＣＤ種別毎の相補的識別は、ケースの一辺の面６の側を部分的に貫通する穴の中に係合された単色、又は二色ひいては三色のロッドにより構成されている。
【００１８】
ＣＤケースの第十三の形態によると、そのセンタリング要素は、ＣＤ又はＤＶＤの記録面の支持壁の厚みが少なくとも半分に削減されており、その嵌合用肩部は、ＣＤの設置時点で弾性変形するためにわずかに円錐状である。
【００１９】
ＣＤケースの第十四の形態によると、そのセンタリング要素は、記録面同士向かい合わせて、二枚のＣＤを収容するように設計されており、その円錐はより長く、その壁の厚みは支持壁の厚みに比べ半分に削減されている。ケースが、その壁のもう一つの側で一枚又は二枚のＣＤを収容する場合、第二のセンタリング要素は、第一のセンタリング要素に対面して熱溶着（ｔｈｅｒｍｏｓｏｕｄｅ’）される。
【００２０】
ＣＤケースの第十五の形態によると、そのセンタリング要素は、一枚のＣＤを収容するように設計されており、その可撓性は、嵌合解除圧力が加わる中心部をそのままにして、空間により嵌合円錐の表面を分割することによって得られる。
【００２１】
ＣＤケースの第十六の形態によると、ケースのセンタリング要素は、センタリング要素の肩部上に接着した状態で後付けされた形で、ＣＤの中央穴の直径よりもきわめてわずかに大きい直径をもつ、エラストマ製のリングを有しており、取り出しは、穴を介してＣＤの支持面の後部を押すことにより行なわれる。
【００２２】
ＣＤケースの第十七の形態によると、そのセンタリング要素−イジェクタは、主として、ＤＶＤ記録ディスクを一枚収容するように設計されており、センタリング要素に加えて、センタリング要素の肩部の上にＤＶＤ又はＣＤを嵌合した時点でつぶすことができるように、末広がりになった縁部を有して、対応する収納部の底面に接着された、柔軟なエラストマ製の少なくとも三つの小さいスタッド又は、球を用いてセンタリング要素の中央を押した時点でＣＤをもち上げることを目的とした、弾性変形可能なイジェクト手段が付加されている。一変形形態では、ＤＶＤの取り出しは、成形により形成された少なくとも三つのブレード、又は、例えばガイドレール内に係合され接着された、金属製のブレードを用いて実施できる。
【００２３】
ＣＤケースの第十八の形態によると、ＣＤケースは、垂直又はわずかに傾斜した垂直収納ボックスの中に保管され、それらの断面の形状は、好ましくは八角形のケースの断面形状に対応し、これは、下部が不透明又は半透明で上部が透明で、相互嵌合用の相補的手段の備わった二つの半部分で構成されており、それらの端部は閉じられ、一方の側では雄、他方では雌のその他のボックスとの嵌合用手段を外側に向かって備えている。
【００２４】
ケースの外側とボックスの内側の間にあそびを与えるか又は、下側の辺の角度を変更することにより、約１５°だけケースを傾斜させることができるようになっている。
【００２５】
ＣＤケースの第十九の形態によると、これらは、上下に対面して熱溶着された状態で、シートを束状に溶接できるようにするスペーサプレートを、又、参照のため折畳むことができるようにする空間を超えて、対面して熱溶着されたセンタリング要素上での各々嵌合されたＣＤの場所を画定する長手部分、及び横幅部分についての上下の剛性化プレートを有する透明なプラスチック材料で作られた、二、四、又は八枚のＣＤ用の薄く柔軟な収納用シートの形を呈しており、センタリング要素は、ＣＤの中央穴上でのわずかな締付けを可能にする直径を有し、且つ小さい入口面取りを持つ僅かな円錐状の嵌合支持面により、その周囲で縁取りされた薄壁を有し、フライス加工によって、嵌合を容易にするべく歯が弾性変形できるようになっており、シート上のそれらの熱溶着は、中央部分上で行なわれる。
【００２６】
ＣＤケースの第二十の形態によると、ＣＤ収納シートは、１．５ｍｍから少なくとも２ｍｍまでの厚みの底面、成形により形成されたヒンジにより底面と一体化された背面、第二のヒンジにより背面（１４２）に一体化されたカバーから成る熱可塑性材料製ファイルの中、又はそのスペーサ上で束状に熱溶着されており、該ファイルは、成形により形成されたもう一つの柔軟なヒンジにより底面に連結された前方部分によって閉じられており、前方部分上に接着された頑丈な織地のバンドが、その自由端部に、カバーを上のシートに対し締めつけながら、もう一つの「スクラッチ」バンド上に固定されることになる「スクラッチ」材料バンドを有している。
【００２７】
既存のものと比べた本発明によるケースの利点は、以下の点にある：
製造が著しく簡略化された。
取扱いが著しく簡単かつ迅速になり、大部分のモデルについてカバーが無いことから、ＣＤを引抜くのに片手でそれを利用しやすくきる。この引抜きは、センタリング要素及びケースの周囲にわずかに圧力を加えるだけで行なわれる。
製造コストが安く、あらゆるケースの場合にモノブロックで、カバーが無い。
頑丈で、破損しない。
複数のＣＤを入れても非常に軽量で、非常に安い費用で、通常の封筒に入れて郵送可能である。
ＣＤ一枚については２．５〜３ｍｍ、ＣＤ四枚については８ｍｍというように、従来の収納箱におけるＣＤ三枚で２４ｍｍに比べ厚みのかさがきわめて低い。
好ましくは八角形の形状で、垂直に置くことができる。
積重ねが可能で積上げた山の中での横方向の滑りをことごとく回避するため小さなビード又ははめ込み用肩部を有する。
カバーがないため、ＣＤ上の記載を直接見ることができ、もう一方の側面が半透明であるため、ＣＤの内容についての詳細を記入できるラベルを読取ることが可能である。
異なるページの参照中に位置を維持するセンタリング要素の備わった、薄く柔軟なシート上で、容易かつ安全にファイリングできる。
収納箱の中に、きわめて簡単でかさばらず、かつ垂直又は水平方向に突合せて積重ねられる形で収納できる。
【００２８】
本発明は、制限的な意味のない一例として、添付図面を参考にして、以下の本文中で記述する。
【００２９】
図１は、積重ねできない本発明によるケースの最も単純な例の断面図を示す。これには、記録面がそれを保護する壁１に支持された状態で、センタリング要素Ｃの上に収容すべきＣＤ  Ｄの直径２よりもわずかに大きい正方形、六角形又は八角形の形状をもつ薄壁１が備わっており、記録の無い面は壊れにくいためカバーは余分と考えられている。
【００３０】
図２は、ＣＤの直径２に対して小さなあそびを呈する内部を有し、かつ正方形、六角形又は八角形の外部形状部４を有する肩部３上に、垂直方向に積重ねることのできる、本発明によるケースの最も単純な例を断面で示している。
【００３１】
図３及び４は、正方形、六角形又は好ましくは八角形の形状の外部６をもち、円錐状の底面によりラベルの周囲を保持する円錐状内部面５を用いて収容しており、その保護すべきＣＤ  Ｄの記録面が、押しつけられている壁１を通して透明なので見える、ＣＤについての補足的情報が記されているラベルＥを、さらに収容し不動化することのできるシングルケースの一例を示している。これらのケースは好ましくは、比較的可撓性のある透明なプラスチック材料で作られている。嵌合解除は、ケースの周囲の後ろ側に指先でたわませながら、同時にセンタリング要素の中央を親指で押すことによって行なわれる。
【００３２】
図５及び６は、円錐面５の頂部１０内に係合されたビード９又は肩部８によって、図３及び４のシングルケースを平らに垂直に積上げた例を示す。
【００３３】
図７及び８は、正方形、六角形又は八角形の外部形状６をもつケース上に外側からセンタリングし固定させた、仕切シートを伴う又はそれなしで、記録面同士向かい合わせた二枚のＣＤ１５、１６を収容する簡略化したケース１４の一例を示す。このケースは、その記録面が互いに支持し合い、かつ互いに保護し合っていることから、ＣＤの保護壁を有していない。ＣＤは、導入側（断面図の右部分）に沿って非常に小さい嵌合用突起１７又は１８を弾性的に乗り越えると、このケース上に固定される。断面図の左部分には、突起１７と連動するストッパ肩部１９を示した。部分図８は、ＣＤの嵌合を容易にする目的で保持用突起１７及び１８を複数の部分に分割できるということを示している。
【００３４】
図９及び１０は、仕切シートを伴って又はそれなしで、記録面同士を向い合わせて二枚のＣＤ２２、２３を収容する、単純なセンタリング要素２０（図９）及び２１（図１０）を備え、簡略化されたケースの二つの例を示す。図７のケースの場合と同様に、ＣＤは、より簡易に嵌合するため、分割されていても良い突起２４又は２５のうちの一つの上を通過することにより嵌合される。ケース２０は、ケース２１と同様、軽量化用中央穴２６を有する。図１０上では、嵌合用突起２４は、ＣＤ２２を支持する肩部２７によって置き換えられている。
【００３５】
図１１は、記録面同士向い合わせて二枚のＣＤ２２、２３を収容する二つの部分３１、３２から成る単純なセンタリング要素で構成され、簡略化されたケース３０のもう一つの例を示している。センタリング要素３１は、非常にわずかなあそびでセンタリング要素上にぴったりと係合されたＣＤを保持するため、相補的嵌合手段３４、３５を介して環状部品３３とつながる。
【００３６】
図１２及び１３は、図３の八角形の一辺の幅をもつ支持基面３９を有する垂直方向の収納用支持脚３８の備わった、図９〜１１のケースのいずれか一つを示す。
【００３７】
図１４及び１５は、開放上部から見た（図１４）及び断面でみた（図１５）ダブルケース４０の一例を示す。各々そのセンタリング要素Ｃ上に嵌合されたＣＤを一枚収容する八角形の外部形状のケース６の二つの部分４１、４２は各々その辺の一つで互いに、嵌合用穴４５と連動するピン４４を用いて、それらを閉ることができるようにな成形体により形成されたヒンジ４３によって連結されている。
【００３８】
図１６、１７、１７Ａ及び１７Ｂは、ＣＤのマーキング例を示す。プラスチック材料製の薄いラベル４８が、垂直方向のファイリングの場合ケースの辺５０の一つの側面上に設けられたガイドレール４９の中に係合されている。このラベルは、個人化されたファイリング情報を収容することができる。図１７Ａ及び１７Ｂは、ケースの一辺の面６の側部５４を部分的に貫通した穴５３の中に係合された単色、二色又は三色のロッド５２から成る、ＣＤの種別毎の識別の補足的例を示している。
【００３９】
図１８及び１９は、二枚及び４枚のＣＤを収容することのできるシングルケース５７及び５８の例を示す。図１８は、各々対応するセンタリング要素Ｃ１、Ｃ２上に嵌合された状態で、その壁５９の各々の側にＣＤ Ｄ１及びＣＤ Ｄ２を収容するように設計されたケース５７の一例を示している。これは見えないと思われるので、ラベルを利用しない場合に円錐状でなくてもよい二重の肩部６０を有する。ＣＤ一枚につき一枚のラベル利用する場合、このラベルは、そのＣＤの内容についての補足的情報を提供し、主要な情報は、外から見えるところにある無記録面上に記されている。
図１９は、仕切シートを伴って又は仕切シートなしで、互いに支持し合う記録面をもつ二枚のＣＤを、その壁６４の各々の側面で収容するシングルケース５８の一例を示す。そのセンタリング要素Ｃ３、Ｃ４は、二枚のＣＤを同時に嵌合できるようにするためセンタリング要素Ｃ１、Ｃ２よりもわずかに長くなっている。これらは、その他のケースの場合と同じやり方で嵌合解除される。二重肩部６５の厚みは、垂直方向の収納又は垂直方向の積重ねを可能にするため、センタリング要素の厚みと同じである。
【００４０】
図２０及び２１は、３枚又は四枚のＣＤを収容することのできるダブルケース６８、６９の例を示している。これらのケースは、図１４及び１５のものと類似である。図２０は、３枚のＣＤ Ｄ１、Ｄ２、Ｄ３が入る、つまり左部分７１に二枚（Ｄ１、Ｄ２）及び、右部分７２上にＤ３が入るダブルケースの一例を示す。左部分７１の肩部７０の厚みは、一枚のＣＤしか収容しない右部分７２の厚みに比べ、二枚のＣＤを収容するセンタリング要素Ｃ３の厚みをわずかに超える、さらに大きいものとなっている。二つの部分７１は、成形体により形成された柔軟なヒンジ４３上で互いに連接している。部分７２は、その壁に対して一枚のラベルそして二枚のＣＤの間に、仕切シートの形をした部分７１を収容することができる。三枚のＣＤの無記録面は、一つは外から、他の二つはケースを開くことで見ることができる。
図２１は、記録面同士を向かい合せて各々二枚のＣＤ Ｄ１、Ｄ２及びＤ３、Ｄ４を収容する、二つの対称部分７１、７５をもつダブルケース６９を示しており、情報を担持するその四つの無記録面は、透明性により外部から、そしてケースを開けることで内部から見ることができる。
【００４１】
図２２〜２６は、ＣＤのセンタリング要素の例を断面図で示す。図２２は、センタリング要素７８の一例を示す。ＣＤ又はＤＶＤの記録面の支持壁の厚み７９は、センタリング要素上で少なくとも半分の厚み８０に減らすことができるように、弾性変形可能なものにしている。嵌合用肩部８１は、ＣＤの設置時点で弾性変形するため、わずかに円錐状になっている。センタリング要素の中央を押すと（矢印８２）、壁は破線８３に沿って変形し、そのため肩部８１の直径が減少することになる。ケースの外部上に逆のたわみを同時に発生させると、ＣＤはそのセンタリング要素から解放される。最初のものと同一の第二のセンタリング要素８４は、８５で第一のものと対面して、熱溶着で後付けされている。
【００４２】
図２３Ａ及び２３Ｂは、主としてＤＶＤタイプの記録ディスクを収容するように設計されたセンタリング要素−イジェクタ付きケースの例を示す。これには、図２２と同じセンタリング要素に関して、センタリング要素中央を押した場合にＣＤをもち上げるため、弾性変形可能なイジェクト手段が加わったものが備わっている。この取り外しは、複数の方法、すなわち、センタリング要素の肩部８１上にＤＶＤ又はＣＤを嵌合させた時点で、スタッドをつぶすことができるように、末広がりになった縁部を有し、それに対応する収納部８６の底面に接着された、柔軟なエラストマ製の少なくとも三つの小さいスタッド８５を用いて得られる。スタッド８５の自由端部は、半球形であり、スタッド８５を対応するキャビティ上に付着されたエラストマ製の球Ｂ（図２３Ｂ）に置き換えるか、或いは、成形体により形成された少なくとも三枚のブレード８７（図２３Ａ、２３Ｂの右側）又は、ガイドレール内に係合され接着された例えば金属製のブレードＬ（図２３Ｂ）を用いて、センタリング要素と同じ高さをもつようにできる。ケースをテーブル上に平らに置いた状態でセンタリング要素の中央８２を押すと、スタッド８５、球又はブレード８７がもち上がり、ＤＶＤをそのセンタリング要素から解放する。
【００４３】
図２４は、記録面同士向かい合わせて二枚のＣＤ Ｄ１、Ｄ２を収容するためのセンタリング要素８８のもう一つの例を示す。その形状は、図２２のセンタリング要素の形状と類似しているが、一枚ではなく二枚のＣＤを収容し保持するためさらに高さが高くなっており、円錐８９の勾配はわずかに小さくなっている。二枚のＣＤは、図２２の場合と同じ要領で嵌合解除される。壁１のもう一方の面上に一枚又は二枚の補足的ＣＤを収容するために、一枚又は二枚のＣＤのためのセンタリング要素９０が第一のものと対面して熱溶着されている。
【００４４】
図２５は、一枚のＣＤのためのセンタリング要素９２のもう一つの例を示す。その可撓性は、嵌合解除圧力が加わる中心部９５はそのままで、空間９４により嵌合円錐の表面９３を分割することで得られる。二枚のＣＤを収容するためには、一枚のＣＤの厚み分だけセンタリング要素の高さを増大させる。その他のセンタリング要素モデルの場合と同様に、ケースのもう一つの面上に第二のセンタリング要素を熱溶着することができる。
【００４５】
図２６は、上に弱い保持力を発生させるように、ＣＤの中央穴の直径よりもごくわずかに大きい直径のエラストマ製リング１００が、その肩部９９に接着状態で後付けされているセンタリング要素９８のもう一つの例を示している。取り出しは、穴１０１を通してＣＤの支持面の後方を押すことによって行なわれる。
【００４６】
図２７及び２８は、ＣＤの垂直な又わずかに傾斜した収納用ボックスの一例を示しており、これらのボックスは、平らにでも垂直方向にでも置くことができる。ボックスの断面の形状は、好ましくは八角形のケースのものに対応する。これは、不透明又は半透明の下部半部分１１０と、透明な上部半部分１１１という二つの半部分から成る。二つの半部分１１０、１１１には、互いの間の相補的嵌合手段が具備されている。二つの半部分の二つの端部は閉じられており、外に向かって、片側ではその他の雄ボックス１１３、そしてもう一方の側ではその他の雌ボックス１１４との嵌合用手段を備えている。
マークが無い場合に、ＣＤを視覚的に参照できるようにするために、ケースの外側とケースの内側の間にあそびを設けるか又は、辺の角度１１５、１１６をわずかに拡大するこため、ケースを約１５°傾斜させることができるようにした。
【００４７】
図２９及び３０は、二枚、四枚又は八枚のＣＤを平らに収納する、一枚の薄く柔軟なシートの一例の立面断面図及び上面図を示す。透明なプラスチック材料製のこのシート１１８は、対面して上下に熱溶着された状態で、シートを束状に溶接できるようにする（図３１）スペーサプレート１２０、１２１、参照のため折畳むことができるようにする空間１１９及び、長手部分（１２３、１２４、１２５）及び横幅部分（１２６、１２７、１２８）に、上下で熱溶着されＣＤの場所を画定する剛性プレートを有している。ＣＤは、図３０に断面図で示されているように、シートの上下で対面して熱溶着されたセンタリング要素１３０上に各々嵌合される。これには、小さい入口面取り１３３及びＣＤの中央穴上の充分な保持用締付けを可能にする直径を有した薄壁１３１を備えており、その薄壁はわずかに円錐状になった嵌合用支持面１３２によって、その周囲が縁どりされている。フライス加工部１３４により、歯１３５は、嵌合を容易にするべく弾性変形可能になっている。シートへ上の熱溶着は、嵌合用歯の柔軟性を保つため中央部分１３６上でのみ実施される。
【００４８】
図３１は、厚みが１．５ｍｍ〜少なくとも２ｍｍの基面１４１、成形により形成されたヒンジ１４３により基面に組み合わされている背面１４２と、第二のヒンジ１４５により背面１４２に組み合わされているカバー１４４とから成る、熱可塑性材料製のファイル１４０上で、束状に溶接された平らな収納用のシート１１８の一例を示している。ファイルは、成形により形成されたもう一つのヒンジ１４７によって、基面に連結された前方部分１４６により閉じられている。前方部分１４６上に接着された丈夫な織地バンド１４８がその自由端部に、「スクラッチ」材料製のバンド１４９に有し、このバンド１４９は、上部のシート１１８に対してカバー１４４を締めつけることにより、もう一本の「スクラッチ」バンド１５０上に固定され、かくしてＣＤ全体を防塵している。プラスチック材料製のファイルは、装飾用織地で被覆されてもよい。
【図面の簡単な説明】
【図１】
積重ね不可能な本発明によるケースの最も単純な例の断面図である。
【図２】
積重ね可能な本発明によるケースの最も単純な例の断面図である。
【図３】
収容し保護すべきＣＤが押しつけられるラベルを収容し固定できるシングルケースの一例である。
【図４】
収容し保護すべきＣＤが押しつけられるラベルを収容し固定できるシングルケースの一例である。
【図５】
平らなシングルケースの垂直方向積重ねの例である。
【図６】
平らなシングルケースの垂直方向積重ねの例である。
【図７】
記録面同士を向かい合わせて外側からセンタリングされた、二枚のＣＤを収容するケースの一例である。
【図８】
記録面同士を向かい合わせて外側からセンタリングされた、二枚のＣＤを収容するケースの一例である。
【図９】
記録面同士を向かい合わせた二枚のＣＤを収容する単純なセンタリング要素を備え簡略化されたケースの二つの例である。
【図１０】
記録面同士を向かい合わせた二枚のＣＤを収容する単純なセンタリング要素を備え簡略化されたケースの二つの例である。
【図１１】
記録面同士を向かい合わせた二枚のＣＤを収容する二つの部分から成る単純なセンタリング要素で構成されたケースである。
【図１２】
垂直方向の収納用の支持脚部を備えた図９〜１１のケースのいずれか一つである。
【図１３】
垂直方向の収納用の支持脚部を備えた図９〜１１のケースのいずれか一つである。
【図１４】
開放上面から見た及び断面で見た、ダブルケースの一例である。
【図１５】
開放上面から見た及び断面で見た、ダブルケースの一例である。
【図１６】
ＣＤのマーキング例である。
【図１７】
ＣＤのマーキング例である。
【図１７Ａ】
ＣＤのマーキング例である。
【図１７Ｂ】
ＣＤのマーキング例である。
【図１８】
二枚及び四枚のＣＤを収納できるシングルケースの例である。
【図１９】
二枚及び四枚のＣＤを収納できるシングルケースの例である。
【図２０】
三枚又は四枚のＣＤを収納できるダブルケースの例である。
【図２１】
三枚又は四枚のＣＤを収納できるダブルケースの例である。
【図２２】
ＣＤのセンタリング要素の例である。
【図２３Ａ】
ＣＤのセンタリング要素−イジェクタの例の断面図である。
【図２３Ｂ】
ＣＤのセンタリング要素−イジェクタの例の断面図である。
【図２４】
ＣＤのセンタリング要素の例である。
【図２６】
ＣＤのセンタリング要素の例である。
【図２７】
平らに又は垂直に置くことのできるＣＤ収納ケースの例である。
【図２８】
平らに又は垂直に置くことのできるＣＤ収納ケースの例である。
【図２９】
二枚、四枚又は八枚のＣＤの平らな収納用シートの例の断面図である。
【図３０】
図２９の平らなＣＤ収納用シート上にあるＣＤのセンタリング要素の例の断面図である。
【図３１】
図２９の平らなＣＤ収納用シートの例の上面図である。
【図３２】
ファイル上に束状に溶接された、平らな収納用シートの例である。
【国際公開パンフレット】
2004527870.tif 000003
2004527870.tif 000004
2004527870.tif 000005
2004527870.tif 000006
2004527870.tif 000007
2004527870.tif 000008
2004527870.tif 000009
2004527870.tif 000010
2004527870.tif 000011
2004527870.tif 000012
2004527870.tif 000013
2004527870.tif 000014
2004527870.tif 000015
2004527870.tif 000016
2004527870.tif 000017
2004527870.tif 000018
2004527870.tif 000019
2004527870.tif 000020
2004527870.tif 000021
2004527870.tif 000022
2004527870.tif 000023
2004527870.tif 000024
2004527870.tif 000025
2004527870.tif 000026
【国際調査報告】
2004527870.tif 000027
2004527870.tif 000028
2004527870.tif 000029
2004527870.tif 000030
2004527870.tif 000031
2004527870.tif 000032